(57)【特許請求の範囲】
【請求項１】
遊技釘が配置され、遊技球が転動しうる遊技盤における遊技領域に、当該遊技領域における中央部の裏側に配置され識別情報を変動表示可能な表示装置の前面周囲を包囲する装飾部材と、前記装飾部材の真下にあって、遊技球が入球可能な図柄始動口とを設けてなる遊技機において、
前記装飾部材は、前記表示装置を前面に臨ませる表示装置窓部と、該表示装置窓部の右側にあって、前記遊技領域の右側端まで延出する延長部と、前記表示装置窓部の上側にあって、遊技球を前記延長部を設けた方向とは異なる方向へ誘導するように傾斜する案内部と、前記延長部に設けられ、光透過性の合成樹脂で形成される表示灯カバー部とを有し、
前記延長部は、前記案内部の頂部である右端部に連設されて前記遊技盤面より前方に突出するとともに、前記表示装置窓部の右側を囲むように下方へ延出して遊技球を右下方へ誘導可能な延長膨出部と、前記延長膨出部の右側にあって、前記延長膨出部に誘導された遊技球が通過し得るように前記遊技盤面とほぼ同一平面で、かつ前記遊技釘を配置しない平面領域部とを一体的に形成し、
前記延長膨出部は、前記案内部の右端部に緩やかな斜面を介して連なる第１の段差部と、前記第１の段差部の右端の下方に設けられる第２の段差部とを階段状に形成し、
前記表示灯カバー部は、前記遊技盤より前方に突出し、前記第１の案内部及び前記第２の案内部により誘導されて前記平面領域部を通過する遊技球を、前記図柄始動口へ向けて流下させ得るように前記遊技盤の中央に向かって下り傾斜する誘導部を有することを特徴とする遊技機。
【請求項２】
前記案内部は、前記表示装置窓部の上側にあって、前記表示装置窓部の左右方向の幅の全域を被うような幅を有することを特徴とする請求項１記載の遊技機。
【請求項３】
前記延長部における前記延長膨出部と前記表示装置窓部との間の領域に、電気的駆動源の作動により、所定の動作を行う演出部材を配設したことを特徴とする請求項１または２記載の遊技機。
【発明の詳細な説明】
【技術分野】
【０００１】
本発明は、パチンコ機等の遊技機における遊技用装置に関する。詳しくは、遊技盤の遊技領域に配置される装飾部材を設けてなる遊技機に関する。
【背景技術】
【０００２】
例えば、パチンコ機のような遊技機においては、図４に示すように、遊技盤面内の遊技領域５０の中央部に、複数桁(例えば３列)の図柄から構成される識別情報を変動表示可能な表示装置５１を備えている。そして、所定の確率に基づいて、表示装置５１に表示された各識別情報が、特賞図柄として、予め定められた表示態様(例えば「１、１、１」)が成立した場合に、特賞状態を生起させ、遊技者に所定の遊技価値を付与するようにしている。
【０００３】
表示装置５１の前面外周には、装飾部材５２が設けられている。装飾部材５２は、左右対称形であり、表示装置５１の周囲を装飾するとともに、遊技球の流下方向を誘導する機能をも有している。
【０００４】
【特許文献１】特開平１０−２６３１４９号公報
【発明の開示】
【発明が解決しようとする課題】
【０００５】
しかし、上記の従来技術によれば、装飾部材５２は、表示装置５１の周辺を包囲するのみであるので、装飾性が低く、遊技者に早期に飽きられてしまう。また、装飾部材５２及びその周辺の遊技盤の構成をも含めて、左右の遊技領域では、装飾部材５２に沿って流下する遊技球の流下態様が単調であり、遊技者に興趣を起こさせるものではなかった。
【０００６】
本発明は、このような従来の課題を解決するためになされたもので、その目的とするところは、装飾部材に強い印象を与えるとともに、遊技の興趣性を向上させることができるようにした遊技機を提供することにある。
【課題を解決するための手段】
【０００７】
本発明によると、上記課題は、次のようにして解決される。
（１）遊技釘が配置され、遊技球が転動しうる遊技盤における遊技領域に、当該遊技領域における中央部の裏側に配置され識別情報を変動表示可能な表示装置の前面周囲を包囲する装飾部材と、前記装飾部材の真下にあって、遊技球が入球可能な図柄始動口とを設けてなる遊技機において、前記装飾部材は、前記表示装置を前面に臨ませる表示装置窓部と、該表示装置窓部の右側にあって、前記遊技領域の右側端まで延出する延長部と、前記表示装置窓部の上側にあって、遊技球を前記延長部を設けた方向とは異なる方向へ誘導するように傾斜する案内部と、前記延長部に設けられ、光透過性の合成樹脂で形成される表示灯カバー部とを有し、前記延長部は、前記案内部の頂部である右端部に連設されて前記遊技盤面より前方に突出するとともに、前記表示装置窓部の右側を囲むように下方へ延出して遊技球を右下方へ誘導可能な延長膨出部と、前記延長膨出部の右側にあって、前記延長膨出部に誘導された遊技球が通過し得るように前記遊技盤面とほぼ同一平面で、かつ前記遊技釘を配置しない平面領域部とを一体的に形成し、前記延長膨出部は、前記案内部の右端部に緩やかな斜面を介して連なる第１の段差部と、前記第１の段差部の右端の下方に設けられる第２の段差部とを階段状に形成し、前記表示灯カバー部は、前記遊技盤より前方に突出し、前記第１の案内部及び前記第２の案内部により誘導されて前記平面領域部を通過する遊技球を、前記図柄始動口へ向けて流下させ得るように前記遊技盤の中央に向かって下り傾斜する誘導部を有する。
【０００８】
（２）上記(１)項において、前記案内部は、前記表示装置窓部の上方において、前記表示装置窓部の左右方向の幅の全域を被うような幅を有する。
【０００９】
（３）上記(１)または(２)項において、前記延長部における前記延長膨出部と前記表示装置窓部との間の領域に、電気的駆動源の作動により、所定の動作を行う演出部材を配設する。
【発明の効果】
【００１０】
本発明によれば、次のような効果を奏することができる。
（ａ）請求項１記載の発明によると、装飾部材に、遊技領域の右側端まで延出する延長部と、遊技球を延長部が設けられた方向とは異なる方向へ誘導可能な案内部とを設けたことによって、装飾部材に強い印象を与えるとともに、遊技球の多様な流下形態が可能にすることができる。
また、延長部の延長膨出部は、段差部により階段状に形成されているため、誘導される遊技球の移動速度を減速させることができ、遊技球の滞留時間を長くすることが可能になる。
さらに、表示灯カバー部は、遊技盤中央に向かって下り傾斜しているため、延長膨出部により誘導された遊技球を図柄始動口へ向けて流下させることが可能である。
【００１１】
（ｂ）請求項２記載の発明によると、請求項１の効果に加えて、案内部は表示装置窓部の上方を被うような横幅を有するため、遊技領域に打ち込まれた遊技球の到達する部位が多少ずれても、案内部によって、遊技球の流下方向を安定させることができる。
【００１２】
（ｃ）請求項３記載の発明によると、請求項１または２の効果に加えて、延設部をより効果的に利用することができる。
【発明を実施するための最良の形態】
【００１３】
以下、本発明の一実施形態を、図面に基づいて説明する。
図１は、本発明の一実施形態における遊技機の一部分を構成する遊技盤１０の正面図である。
【００１４】
遊技盤１０は、外側ガイドレール１１と内側ガイドレール１２とによって包囲された円形状の遊技領域１３を備え、遊技者の操作により、図外の発射装置から発射された遊技球が、遊技領域１３における左側上部の発射口１３ａから遊技領域１３内に打ち込まれて、遊技領域１３を転動することにより、遊技が行われる。
【００１５】
なお、遊技領域１３には、遊技釘が多数配置され、遊技球は、遊技釘に当接することにより、転動することになるが、該遊技釘は、図面簡素化のため省略してある。
【００１６】
遊技領域１３の中央部における遊技盤１０の裏面側には、液晶からなる特別図柄表示装置１４が配置されている。特別図柄表示装置１４は、図示略のキャラクタに対して、「０」〜「９」の数字で構成される１０種類の左、中、右３列の特別図柄（識別情報）等を表示可能に構成されている。
【００１７】
特別図柄表示装置１４に確定表示された各特別図柄が、所定の確率に基づいて予め定められた表示態様、例えば「４、４、４」のように同一の数字が表示された場合に、特賞状態を生起させ、後述の変動入賞装置１８を、遊技者にとって有利な状態に変動させ、遊技者に所定の遊技価値を付与するようになっている。
【００１８】
また、特別図柄表示装置１４に確定表示された各特別図柄が、「７、７、７」のように奇数で表示された場合には、さらに特賞状態が生起される確率を、特賞状態が所定回数（例えば１回）生起するまで向上させるようにしてある。
【００１９】
この確率向上期間中に、特別図柄表示装置１４に確定表示された各特別図柄が、再び「７、７、７」のように奇数で表示された場合には、さらに確率向上期間は延長される。
【００２０】
特別図柄表示装置１４の下方には、特別図柄始動口１５が配置され、また特別図柄始動口１５の両側方には、普通図柄作動ゲート１６が配置されている。
【００２１】
遊技球が特別図柄始動口１５に入賞すると、所定の確率に基づいて、図示略の判定制御手段をもって、特賞状態を生起するか否かが判定され、その判定の結果をもって、特別図柄表示装置１４の特別図柄を変動させ、その後に所定の図柄を確定表示させる。
【００２２】
また、遊技球が普通図柄作動ゲート１６を通過すると、所定の確率に基づいて、図示略の他の判定制御手段をもって、準特賞状態を生起するか否かが判定され、その判定の結果をもって、特別図柄表示装置１４の上方に配置された普通図柄表示装置１７を変動させ、その後に所定の図柄を確定表示させる。
【００２３】
普通図柄表示装置１７は、それぞれＬＥＤで構成される普通図柄表示領域１７ａ、１７ｂが交互に点滅表示を行い、所定の確率に基づいて、普通図柄表示領域１７ａが点灯表示された場合に、準特賞状態を生起させ、特別図柄始動口１５の左右の可動片１５ａ、１５ｂを所定時間開放し、遊技球が特別図柄始動口１５に入賞しやすくなる。図１では、可動片１５ａ、１５ｂが開放した状態を示してある。
【００２４】
遊技領域１３の下方には、変動入賞装置１８が配置されている。変動入賞装置１８は、特賞状態期間中に広幅の扉が前面側に開放され、遊技球が入賞可能な状態となる大入賞口１９を備えている。
【００２５】
大入賞口１９の扉が開放されている状態や、開閉を繰り返している状態で、遊技球が入賞可能な状態を、遊技者にとって有利な第１状態という。この第１状態以外の状態、つまり大入賞口１９の扉が閉鎖されて、遊技球が入賞不可能な状態を、遊技者にとって不利な第２状態という。
【００２６】
その他、遊技領域１３には、遊技釘とともに遊技球の転動方向を変化させるランプ付き風車２０、遊技球を遊技盤１０の裏面に送るアウト口２１、及びランプ表示装置２２等が配置されている。なお、図外の遊技機本体、つまり発射装置や賞球排出装置は、実施形態の簡素化のため、ここでは省略する。
【００２７】
図２は、装飾部材１の正面図である。特別図柄表示装置１４の前面には、その周囲を包囲するように装飾部材１が配置されている。
【００２８】
装飾部材１は、図１〜図３に示すように、左右非対称形状であって、特別図柄表示装置１４を前面に臨ませる表示装置窓部２と、表示装置窓部２の右方に連設され、かつ図１に示すように、遊技領域１３の右側端近傍まで延出する延長部３とから形成され、延長部３には、遊技盤１０の前面より前方に突出する膨出領域部４の一部を形成する後記延長膨出部４ａと、延長膨出部４ａの右側から遊技領域１３の右側端近傍まで延出し、かつ遊技盤１０の前面とほぼ同一平面をなす平面領域部５と、表示灯窓部６と、表示灯窓部６の下方に設けられる表示灯カバー部７とが設けられている。延長部３における膨出領域部４の下方で、かつ表示装置窓部２の右側には、演出部材８が設けられている。なお、前述の特別図柄始動口１５は、図１〜３に明示されるように、装飾部材１の真下に設けられる。
【００２９】
表示装置窓部２は、透明の合成樹脂により形成され、特別図柄表示装置１４を視認可能にするとともに、特別図柄表示装置１４を保護することができる。
【００３０】
膨出領域部４は、正面視ほぼ下向きコ字型をなし、表示装置窓部２の右方を囲むように延長部２側に設けられる延長膨出部４ａと、表示装置窓部２の上方を被うように設けられる上方膨出部４ｂと、表示装置窓部２の左側方を囲むように設けられる側方膨出部４ｃとを連続して形成される。
【００３１】
膨出領域部４における上方膨出部４ｂの上面には、延長部３を設けた方向と反対方向、すなわち、上面に載った遊技球を右側から左側に誘導するように傾斜した案内部４１が設けられている。案内部４１は、表示装置窓部２の上方において、表示装置窓部２の左右方向の幅のほぼ全域を被うような幅を有している。
【００３２】
膨出領域部４における延長膨出部４ａの上面には、図１〜３に明示されているように、案内部４１の頂部である右端部に緩やかな斜面を介して連なる段差部４２と、段差部４２の右端の下方に設けられる段差部４３とが階段状に形成されている。段差部４２、４３は、演出部材８の上方及び右方を被っている。
【００３３】
膨出領域部４が遊技盤１の前面より前方に突出しているため、発射装置から発射された遊技球は、装飾部材１の膨出領域部４の上面に当接すると、膨出領域部４の上面に沿って流下することになり、表示装置窓部２及び演出部材８の前面を流下することはない。
【００３４】
また、膨出領域部４における延長膨出部４ａの上面に、段差部４２、４３が階段状に形成されているため、膨出領域部４の上面を流下する遊技球の移動速度を低減させることができる。
【００３５】
さらに、平面領域部５が遊技盤１の前面とほぼ同一平面であるため、膨出領域部４の上面から流下した遊技球は、延長部３の平面領域部５の前面、すなわち遊技盤１０面に沿って通過することが可能となる。なお、平面領域部５には遊技釘は配置されていない。さらに、図１、３に示すように、平面領域部５は、延長膨出部４ａと遊技領域１３の右側端との間にあって、かつ表示装置窓部２の右側を流下する遊技球が必ず通過するように、遊技領域１３の右側端まで延出している。これにより、図１に示すように、遊技領域１３における表示装置１４の左側には、遊技釘が配置された左側遊技領域部１３１、また、同じく右側には、遊技釘が配置されない右側遊技領域部１３２がそれぞれ形成される。
【００３６】
表示灯窓部６は、平面領域部５内に設けられ、裏面側に設けられる図示しない表示灯(例えばＬＥＤ)が発する光を前面に透過させるように、光透過性の合成樹脂で形成される。
【００３７】
表示灯カバー部７は、裏面側に設けられる図示しない表示灯(例えばＬＥＤ)が発する光を前面に透過させるように、光透過性の合成樹脂で形成されるとともに、膨出領域部４と同様に遊技盤１０よりも前面に突出した形状となっており、図１〜３に明示されるように、延長膨出部４ａの下部側面に対向する表示灯カバー部７の上面には、遊技球を当接させて流下させることを可能とする誘導部を形成する。
【００３８】
演出部材８は、図１〜３に明示されるように、延長部３における膨出領域部４の下方で、かつ延長膨出部４ａと表示装置窓部２との間の領域に設けられ、裏面側に設けられる図示しない電気的駆動源としてのソレノイドの作動により、表示装置窓部２の前面に出没する状態と、図示するように出没しない状態とに移動可能である。
【００３９】
演出部材８が出没する契機としては、確定表示された各特別図柄が、予め定められた表示態様となった場合、予め定められた表示態様となる可能性が向上した状態となった場合、または特賞状態期間中の場合等が挙げられる。これにより、現在の遊技状況を把握可能になるとともに、延長部３を効果的に利用することで利便性に富む。
【００４０】
装飾部材１の斜視図を示す図３に基づいて、装飾部材１により誘導される遊技球の２つの流下態様を説明する。なお、遊技球Ａ１〜Ａ５は、図示した矢印に従って移動するものとする。
【００４１】
まず、発射装置から発射された遊技球Ａ１が、遊技球Ａ２となる流下態様の場合、つまり遊技領域１３の左側へ誘導される場合について説明する。
【００４２】
発射口１３ａから遊技領域１３内に打ち込まれた遊技球Ａ１は、遊技領域１３に配置された図示しない遊技釘によって転動し、膨出領域部４の上面である案内部４１に当接することにより、案内部４１に沿って、装飾部材１の左方向へと緩速で案内される。このあと、遊技球は、膨出領域部４の左端から落下し、左側遊技領域部１３１に配置された遊技釘に当接しながら、遊技領域１３の下方へ流下する。
【００４３】
案内部４１は、表示装置窓部２の上方を被っているため、比較的横幅が大きくなっている。これにより、発射装置から発射された遊技球の到達する部位が、特別表示装置１４上であれば、どの部位であっても、案内部４１により左側遊技領域部１３１への誘導が可能となり、発射位置が多少ずれても、遊技球の流下方向を安定させることができる。
【００４４】
これに対し、従来技術である図４の遊技用部材５２の場合、表示装置５１上であっても、その右側に遊技球が当接すると、遊技球を装飾部材５２の左方向へ誘導させることはできない。
【００４５】
つぎに、発射装置から発射された遊技球Ａ１が、遊技球Ａ３、遊技球Ａ４、遊技球Ａ５と流下する流下態様となる場合、すなわち、延長部３の方向（右方向）へ誘導される場合について説明する。
【００４６】
遊技球Ａ１は、遊技領域１３に配置された図示しない遊技釘によって転動し、膨出領域部４の上面に当接することにより、延長部３側、すなわち案内部４１よりも右側の膨出領域部４に沿って、段差部４２、４３を通過し、遊技球Ａ３、遊技球Ａ４の順で、装飾部材１の右方向へ案内され、表示灯窓部６の前面を通って平面領域部５を通過する。
【００４７】
また、遊技球Ａ５の位置では、遊技球が表示灯カバー部７の上面に当接している。このとき、表示灯カバー部(7)の上面は、遊技盤中央に向かって下り傾斜しているため、遊技球は遊技盤の中央方向(特別図柄始動口１５方向)へと流下する。
【００４８】
以上のように本実施形態によれば、遊技者に特別図柄表示装置１４だけを注目させるのではなく、装飾部材１にも強い印象を与えるとともに、延長部３側では、従来の遊技釘とは異なる遊技球の流下態様を味わうことができることにより、遊技の興趣性が向上する。
【００４９】
加えて、延長部３側では、遊技球が装飾部材１の左方向へ誘導された場合の流下態様とは異なる遊技球の流下態様を味わうことができ、遊技の興趣性が向上する。
【００５０】
また、延長部３側の膨出領域部４は、段差部４２、４３により階段状に形成されているため、誘導される遊技球の移動速度は低減させられ、遊技球の滞留時間を長くすることが可能になるとともに、下方に位置する特別図柄始動口１５等に安定して入球しやすくなる。
【００５１】
さらに、案内部４１は、膨出領域部４の延長膨出部４ａと連続して形成されているため、２つの異なる遊技球の流下態様を、１つの部材で実現可能であり、部品点数の削減して、遊技球の多様な流下形態を実現することができる。
【００５２】
以上、本発明の一実施形態について説明したが、本発明の要旨を逸脱しない範囲内で、上記実施形態に種々の変形や変更を施すことが可能である。例えば、延長部３を左側に設けたり、両側に設けたりすること、及び段差部の数を変更すること、演出部材８の動作をモータによる回転等の動作にすること等が挙げられる。
【００５３】
また、複数列の図柄が予め定められた表示態様となった場合に、大入賞口１９が開放する遊技機として説明したが、本発明は、図柄が予め定められた特定表示結果となったことにより、所定の入賞口が開放して（遊技者にとって有利な遊技状態）、開放期間中の所定の入賞口に遊技球が入賞した場合に、特定の入賞装置が開放する契機となる遊技機等に対しても、適用可能である。
【図面の簡単な説明】
【００５４】
【図１】本発明における一実施形態を適用した遊技機の一部分を構成する遊技盤の正面図である。
【図２】装飾部材の正面図である。
【図３】装飾部材の斜視図である。
【図４】従来技術における遊技盤の正面図である。
【符号の説明】
【００５５】
１  装飾部材
２  表示装置窓部
３  延長部
４  膨出領域部
４ａ  延長膨出部
４ｂ  上方膨出部
４ｃ  側方膨出部
５  平面領域部
６  表示灯窓部
７  表示灯カバー部
８  演出部材
１０  遊技盤
１１  外側ガイドレール
１２  内側ガイドレール
１３  遊技領域
１３ａ  発射口
１４  特別図柄表示装置（表示装置）
１５  特別図柄始動口
１５ａ、１５ｂ  可動片
１６  普通図柄作動ゲート
１７  普通図柄表示装置
１７ａ、１７ｂ  普通図柄表示領域
１８  変動入賞装置
１９  大入賞口
２０  ランプ付き風車
２１  アウト口
２２  ランプ表示装置
４１  案内部
４２、４３  段差部
１３１  左側遊技領域部
１３２  右側遊技領域部
【図１】
0004728374.tif 000002
【図２】
0004728374.tif 000003
【図３】
0004728374.tif 000004
【図４】
0004728374.tif 000005